(57)【要約】【課題】多くの無線装置が、一つの周波数に過度に集中してしまう状態をなくすること。【解決手段】測定部１０１は、バンドサーチを行う。周波数リスト作成部１０２は、測定部１０１でのバンドサーチの結果から待ち受け候補周波数リストを作成する。待ち受け処理部１０３は、周波数リスト作成部１０２で作成した待ち受け候補周波数リストから実際に待ち受け可能かどうかを順に調べ、待ち受け候補周波数リストを修正して、修正された待ち受け候補周波数リストを作成するとともに、待ち受け処理を行う。受信部１０４は、マスター報知情報や報知情報を含むデータの受信を行う。【選択図】図１
2007142928.tif 000002
【特許請求の範囲】
【請求項１】
複数の周波数に対して、前記周波数毎の受信レベルを測定する受信レベル測定手段と、
前記受信レベル測定手段の測定した受信レベルに基づいて、待ち受け周波数を選択するための待ち受け候補周波数リストを作成するリスト作成手段と、
受信レベルが最も大きい周波数以外の周波数でも待ち受け周波数として選択できるように前記待ち受け候補周波数リストを修正した修正待ち受け候補周波数リストを作成するリスト修正手段と、
を具備する無線装置。
【請求項２】
前記リスト修正手段は、前記待ち受け周波数を複数のグループに分けるとともに前記グループ毎に最も受信レベルが高い周波数から順番に整列させた後、前記グループの順番を入れ替えて整列させた前記待ち受け周波数の先頭から順次選択する前記修正待ち受け候補周波数リストを作成する請求項１記載の無線装置。
【請求項３】
複数の周波数に対して、前記周波数毎の受信レベルを測定するステップと、
測定した前記受信レベルに基づいて、待ち受け周波数を選択するための待ち受け候補周波数リストを作成するステップと、
前記受信レベルが最も大きい周波数以外の周波数でも待ち受け周波数として選択できるように前記待ち受け候補周波数リストを修正するステップと、
前記修正した待ち受け候補周波数リストに基づき、待ち受け周波数を選択するステップと、
を具備する周波数選択方法。
【発明の詳細な説明】
【技術分野】
【０００１】
本発明は、例えば、Ｗ−ＣＤＭＡシステムにおける無線装置及び周波数選択方法に関する。
【背景技術】
【０００２】
従来、３ＧＰＰ（3rd Generation Partnership Project）で方式が規定されているＷ−ＣＤＭＡシステムにおいては、携帯無線装置が待ち受け状態になる際に、どの周波数を利用することができるかを調べるために、各周波数の受信レベルを測定するバンドサーチを行う必要がある。
【０００３】
バンドサーチの結果、利用可能な周波数が検出されると、その周波数を待ち受け候補周波数とする。この場合、バンドサーチにより利用可能な周波数が複数検出されることもある。このような場合、従来は、受信レベルが最も大きい周波数から順に待ち受け候補周波数として選択している。そして、その後、待ち受け候補周波数に対して、実際に待ち受け可能であるか否かの判定をするための処理を行うようになっている。
【０００４】
従来の待ち受け候補周波数の選択においては、バンドサーチの結果、ある１つの周波数の状態が特に良いという状況にある場合、ある程度良い他の周波数が存在する状況でも、上記した特に良い周波数を待ち受け候補周波数にしていた。
【０００５】
その際、複数の携帯無線装置が同じようなタイミングでバンドサーチを行ったとすると、全ての携帯無線装置が、最もバンドサーチの結果が良い周波数を待ち受け候補として選択することになる。このような携帯無線装置としては、例えば、特許文献１が知られている。
【特許文献１】特開２００３−２４４０８３号公報
【発明の開示】
【発明が解決しようとする課題】
【０００６】
しかしながら、従来の装置においては、多くの携帯無線装置が、上記した特に良い周波数で待ち受けようとするため、一つの周波数に過度に集中してしまうことになり、バンドサーチの結果が良くて利用効率が良いはずの周波数の利用効率が悪くなってしまうという問題がある。また、この場合、上記した周波数で普通に待ち受けていた携帯無線装置も巻き込むことになる。
【０００７】
更には、この過度の集中のために圏外状態となってしまった携帯無線装置は、同じようなタイミングでバンドサーチを行うため、別の周波数に対しても同様の現象を引き起こす可能性があるという問題がある。
【０００８】
本発明は、かかる点に鑑みてなされたものであり、多くの無線装置が、一つの周波数に過度に集中してしまう状態をなくすることができる無線装置及び周波数選択方法を提供することを目的とする。
【課題を解決するための手段】
【０００９】
本発明の無線装置は、複数の周波数に対して、前記周波数毎の受信レベルを測定する受信レベル測定手段と、前記受信レベル測定手段の測定した受信レベルに基づいて、待ち受け周波数を選択するための待ち受け候補周波数リストを作成するリスト作成手段と、受信レベルが最も大きい周波数以外の周波数でも待ち受け周波数として選択できるように前記待ち受け候補周波数リストを修正した修正待ち受け候補周波数リストを作成するリスト修正手段と、を具備する構成を採る。
【００１０】
本発明の周波数選択方法は、複数の周波数に対して、前記周波数毎の受信レベルを測定するステップと、測定した前記受信レベルに基づいて、待ち受け周波数を選択するための待ち受け候補周波数リストを作成するステップと、前記受信レベルが最も大きい周波数以外の周波数でも待ち受け周波数として選択できるように前記待ち受け候補周波数リストを修正するステップと、前記修正した待ち受け候補周波数リストに基づき、待ち受け周波数を選択するステップと、を具備するようにした。
【発明の効果】
【００１１】
本発明によれば、多くの無線装置が、一つの周波数に過度に集中してしまう状態をなくすことができる。
【発明を実施するための最良の形態】
【００１２】
以下に、本発明の実施の形態について、図面を参照して詳細に説明する。
【００１３】
（実施の形態）
図１は、本発明の実施の形態に係る無線装置の構成を示すブロック図である。
【００１４】
図１に示すように、本発明の実施の形態の無線装置１００は、バンドサーチを行う測定部１０１と、測定部１０１でのバンドサーチの結果から待ち受け候補周波数リストを作成する周波数リスト作成部１０２と、周波数リスト作成部１０２で作成した待ち受け候補周波数リストから実際に待ち受け可能かどうかを順に調べ、待ち受け候補周波数リストを修正して、修正された待ち受け候補周波数リストを作成するとともに、待ち受け処理を行う待ち受け処理部１０３と、マスター報知情報や報知情報を含むデータの受信を行う受信部１０４とを具備する。
【００１５】
なお、図１において、１１０は、バンドサーチにより測定部１０１で検出した周波数群である。又、待ち受け候補周波数リストは、検出した周波数と検出した各周波数の受信レベル又は受信信号電力との関係を示すリストである。
【００１６】
次に、図２及び図３を用いて、周波数リスト作成部１０２及び待ち受け処理部１０３の動作を説明する。図２は、周波数リスト作成部１０２の動作を説明するフロー図であり、図３は、待ち受け処理部１０３の動作を説明するフロー図である。なお、図２及び図３において、Ｎはバンドサーチの結果、検出された周波数の数であり、Ｆｉ（１≦ｉ≦Ｎ）は待ち受け候補リストのｉ番目の周波数、即ち測定結果がｉ番目に良い周波数である。
【００１７】
先ず、使用可能な全周波数を、予め定めておいたグループ分けの基準に基づいて、周波数帯ごとにグループ分けを行う。図２においては、ｇ個のグループに分ける（ＳＴ２０１）。例えば、ｇ＝３の場合、グループ１は周波数帯ｆ１〜ｆ２、グループ２は周波数帯ｆ３〜ｆ４及びグループ３は周波数帯ｆ５〜ｆ６のようにグループ分けする。次に、時刻などをキーとして乱数を発生させ、ｇ個のグループに番号を付ける（ＳＴ２０２）。そして、初期設定する（ＳＴ２０３）。ここでは、ｐ＝１、ｋ＝1とする。なお、変数ｐは、リスト作成中のグループを示し、変数ｋは、検出した周波数の合計をカウントする変数である。
【００１８】
そして、ｐ（１≦ｐ≦ｇ）番目のグループのＣｐ（ΣＣｐ＝Ｎ）個の周波数に対して、受信レベルの大きい順に待ち受け候補周波数リストのｋ番目以降に書き込んでいく（ＳＴ２０４、２０５）。なお、Ｃｐはｐ番目のグループに含まれる周波数の数である。ｐ番目のグループの処理が終わると、ｐをインクリメントし、更に、ｋ＝ｋ＋Ｃｐとして、変数ｋ、ｐの値を更新する（ＳＴ２０６）。このようにして、ＳＴ２０４〜２０６を、繰り返し実行し、変数ｐが変数ｇより大きくなった時、図３の処理に移行する（ＳＴ２０７）。
【００１９】
従って、ＳＴ２０４〜２０６の処理を１回終了すると、各グループ毎に、各周波数の測定した受信レベルが良い順に、待ち受け候補周波数リストに書き込まれることになる。この処理をグループ番号の昇順に行うことで、待ち受け候補周波数リストが作成される。
【００２０】
次に、待ち受け候補周波数リストの入力を受けた待ち受け処理部１０３は、図３に従い、待ち受け候補周波数リストの待ち受け候補周波数で実際に待ち受け可能かを調べる為、受信部１０４にリスト順に待ち受け候補周波数を入力する。
【００２１】
即ち、図３に示すように、待ち受け候補周波数リストの各周波数に付けられた番号に対応する変数ｉを初期設定し（ＳＴ３０１）、変数ｉに対応する周波数Ｆｉを受信部１０４に入力し（ＳＴ３０２、３０３）、待ち受け可能であるか調べる（ＳＴ３０４）。待ち受け可能であれば、周波数Ｆｉを待ち受け候補周波数として処理し（ＳＴ３０５）、変数ｉをインクリメントする（ＳＴ３０６）。一方、待ち受け可能でなければ、変数ｉをインクリメントした後（ＳＴ３０６）、次の待ち受け候補周波数を受信部１０４に入力する（ＳＴ３０２、３０３）。このようにして、変数ｉが、バンドサーチの結果、検出された周波数の数Ｎに等しくなるまで、ＳＴ３０２〜３０６を繰り返し実行する。そして、変数ｉの値がＮより大きくなったとき、待ち受け処理部１０３が、予め定めた方法で、待ち受け候補周波数リストを加工して、修正された待ち受け候補周波数リストを完成させる（ＳＴ３０７）。
【００２２】
ＳＴ３０７では、修正された待ち受け候補周波数リストの待ち受け候補の周波数の選択順序が、測定部１０１が測定した受信レベルの大小の順序と異なる順序になるように、待ち受け候補周波数リストを修正する。
【００２３】
本実施の形態では、受信レベルが２番目に大きい周波数を第１の待ち受け周波数にするように構成しているが、これに限らず、受信レベルが最も大きい周波数以外の周波数でも第１の待ち受け周波数に設定するように構成することにより、本発明の目的を達成することが出来る。
【００２４】
又、所定の受信レベル以上の周波数をランダムに並べることで、待ち受け周波数を設定するように構成しても良い。
【００２５】
図４は、従来の待ち受け候補周波数リストと本発明による待ち受け候補周波数リストの差異を説明する図である。図４（Ａ）は、バンドサーチの結果、Ｆ１〜Ｆ５の周波数を検出した様子を示す図であり、図４（Ｂ）は、図４（Ａ）の状態で作成された従来の待ち受け候補周波数リストであり、図４（Ｃ）は、本発明の修正された待ち受け候補周波数リスト１１２であり、図４（Ｄ）は、周波数リスト作成部１０２で作成した待ち受け候補周波数リストである。
【００２６】
図４（Ａ）は、バンドサーチの結果、周波数Ｆ１の受信レベルが最も高く、周波数Ｆ５の受信レベルが最も低いことを示している。また、図４（Ｂ）より、従来の待ち受け候補周波数リストでは、受信レベルの大きい順に並んだリストが作成されている。これに対して、本発明の修正された待ち受け候補周波数リスト１１２は、図４（Ｃ）に示したように作成される。
【００２７】
即ち、従来の待ち受け候補周波数リストでは、全ての携帯無線装置が、周波数Ｆ１で待ち受け処理を行うことになる。一方、本実施の形態においては、図４（Ｄ）に示すように、複数の周波数を含むグループＡ内にて受信レベルの高い周波数から順番、即ちＦ１、Ｆ３の順番に整列させた後、グループＢ、Ａ、Ｃの順番にグループの順番を入れ替えて整列させる。その結果、図４（Ｃ）に示すように、先頭のＦ２から、Ｆ１、Ｆ３、Ｆ４、Ｆ５の順番に整列する。従って、図４（Ｃ）の修正された待ち受け候補周波数リスト１１２の先頭のＦ２を選択することにより、受信レベルが最も大きい周波数以外の周波数を待ち受け周波数に選択することができる。
【００２８】
なお、全ての携帯無線装置が同一の待ち受け周波数を選択しないように、例えば、図４（Ｄ）に示すように、待つ受け候補周波数を複数のグループＡ、Ｂ、Ｃに分けて、待ち受け候補周波数リスト１１１のグループＡ、Ｂ、Ｃの順番を、携帯無線装置毎に任意の順番にする。これにより、各携帯無線装置が、修正された待ち受け周波数リストの先頭の周波数から順番に使用しても、全ての携帯無線装置が同一の周波数で待ち受け処理を行うことはなくなる。
【００２９】
このように、本実施の形態によれば、多くの無線装置が、一つの周波数に過度に集中してしまう状態をなくすことができる。
【００３０】
なお、本実施の形態において、全ての周波数をグループ分けしたが、これに限らず、図２のＳＴ２０１で閾値を設定し、閾値以上の受信レベルの周波数だけをグループ分けの対象とするように構成してもよい。
【産業上の利用可能性】
【００３１】
本発明にかかる無線装置及び周波数選択方法は、例えばＷ−ＣＤＭＡシステムに用いるのに好適である。
【図面の簡単な説明】
【００３２】
【図１】本発明の実施の形態に係る無線装置の構成を示すブロック図
【図２】本発明の実施の形態に係る無線装置の周波数リスト作成部の動作を説明するフロー図
【図３】本発明の実施の形態に係る無線装置の待ち受け処理部の動作を説明するフロー図
【図４】従来の待ち受け候補周波数リストと本発明による待ち受け候補周波数リストの差異を説明する図
【符号の説明】
【００３３】
１００  無線装置
１０１  測定部
１０２  周波数リスト作成部
１０３  待ち受け処理部
１０４  受信部
１１１  待ち受け候補周波数リスト
１１２  修正された待ち受け候補周波数リスト
【図１】
2007142928.tif 000003
【図２】
2007142928.tif 000004
【図３】
2007142928.tif 000005
【図４】
2007142928.tif 000006